(57)【要約】【課題】  各機器における通信経路の管理や制御を一括して管理することが可能な通信中継装置を実現する。【解決手段】  分散配置された機器間の通信経路を管理する通信中継装置において、ある機器からデータを受信した場合にデータをキャリアに格納し、キャリアを経路管理手段に出力すると共に経路管理手段からキャリアを取得した場合にキャリアから送信先を抽出して通信経路を切り換えて送信先の機器にキャリア内のデータを配信する接続変更手段と、この接続変更手段からキャリアを取得した場合にキャリアを解析処理手段に出力し、解析処理手段からルート情報を取得した場合にルート情報に基づき管理テーブルを検索してデータの送信先を求めキャリアに設定すると共にキャリアを接続変更手段に出力する経路管理手段と、経路管理手段からキャリアを取得した場合にキャリアからデータを解析して送信元を抽出してルート情報を生成し経路管理手段に出力する解析処理手段とを設ける。【選択図】                    図１
2005086296.tif 000002
【特許請求の範囲】
【請求項１】
分散配置された機器間の通信経路を管理する通信中継装置において、
ある機器から受信したデータからデータの送信元を特定し、管理テーブルに記載されている前記送信元に対応する送信先の機器に通信経路を切り換えて前記データを配信することを特徴とする
通信中継装置。
【請求項２】
前記データのデータ解析によりある特定のイベントを抽出した場合に特定の送信先の機器に前記データを配信させるようにプログラミングされていることを特徴とする
請求項１記載の通信中継装置。
【請求項３】
前記特定の送信先の機器側から前記ある特定のイベントが発生した場合に配信をするようにすることを特徴とする
請求項２記載の通信中継装置。
【請求項４】
前記特定の送信先の機器側から前記ある特定のイベントが発生した場合に配信をしないにすることを特徴とする
請求項２記載の通信中継装置。
【請求項５】
分散配置された機器間の通信経路を管理する通信中継装置において、
ある機器からデータを受信した場合に前記データをキャリアに格納し、前記キャリアを経路管理手段に出力すると共に前記経路管理手段から前記キャリアを取得した場合に前記キャリアから送信先を抽出して通信経路を切り換えて前記送信先の機器に前記キャリア内の前記データを配信する接続変更手段と、
この接続変更手段から前記キャリアを取得した場合に前記キャリアを解析処理手段に出力し、前記解析処理手段からルート情報を取得した場合に前記ルート情報に基づき管理テーブルを検索して前記データの送信先を求め前記キャリアに設定すると共に前記キャリアを前記接続変更手段に出力する前記経路管理手段と、
前記経路管理手段から前記キャリアを取得した場合に前記キャリアから前記データを解析して送信元を抽出して前記ルート情報を生成し前記経路管理手段に出力する前記解析処理手段とを備えたことを特徴とする
通信中継装置。
【請求項６】
前記管理テーブルには、
複数の送信元が記載され、
前記複数の送信元に対応する１若しくは複数の送信先がそれぞれ記載されていることを特徴とする
請求項１若しくは請求項５記載の通信中継装置。
【請求項７】
前記管理テーブルの、
前記複数の送信元に対応する送信先から機器名を削除することにより配信を停止させることを特徴とする
請求項６記載の通信中継装置。
【請求項８】
前記管理テーブルの、
前記複数の送信元に対応する送信先に機器名を追加することにより配信を開始させることを特徴とする
請求項６記載の通信中継装置。
【請求項９】
前記解析処理手段が、
前記データのデータ解析によりある特定のイベントを抽出した場合に特定の送信先の機器に前記データを配信させるようにプログラミングされていることを特徴とする
請求項５記載の通信中継装置。
【請求項１０】
前記特定の送信先の機器側から前記ある特定のイベントが発生した場合に配信をするように前記解析処理手段に前記特定の送信先の機器側の情報を登録することを特徴とする
請求項９記載の通信中継装置。
【請求項１１】
前記特定の送信先の機器側から前記ある特定のイベントが発生した場合に配信をしないに前記解析処理手段から前記解析処理手段に前記特定の送信先の機器側の情報を削除することを特徴とする
請求項９記載の通信中継装置。
【発明の詳細な説明】
【技術分野】
【０００１】
本発明は、クライアントサーバシステム等の分散配置された機器間の通信経路を管理する通信中継装置に関し、特に各機器における通信経路の管理や制御を一括して管理することが可能な通信中継装置
に関する。
【背景技術】
【０００２】
従来の分散配置された機器間の通信経路を管理する通信中継装置に関連する先行技術文献としては次のようなものがある。
【０００３】
【特許文献１】特開平０９−０８３５７６号公報
【特許文献２】特開平１０−１２６４４０号公報
【特許文献３】特開２００３−１７４４８２号公報
【特許文献４】特開２００３−２２９９１３号公報
【０００４】
図８はこのような従来の分散配置された機器間の通信経路の管理の一例を示す構成ブロック図、特に１対１の通信を例示するものである。図８において１はパーソナルコンピュータ等のクライアント、２は画像配信等のサービスを提供するサーバである。クライアント１とサーバ２はネットワーク（図示せず。）によって相互に接続される。
【０００５】
ここで、図８に示す従来例の動作を説明する。クライアント１は画像配信等のサービスの提供を受けたいサーバ２を指定して図８中”ＣＮ０１”に示すようにネットワーク接続をすると共にクライアント１はサーバ２に対して画像配信等のサービスの提供の処理の依頼をする。
【０００６】
サーバ２はクライアント１から依頼のあった処理を実行すると共に実行結果をネットワークを介してクライアント１に送信する。具体的には、クライアント１から要求のあった画像をネットワークを介して配信する。
【０００７】
この結果、クライアント１がサーバ２にネットワーク接続し処理を依頼し、サーバ２が実行結果をネットワークを介してクライアント１に送信することにより、クライアント１はネットワークを介してサーバ２から画像配信等のサービスの提供を受けることが可能になる。
【０００８】
また、図９は従来の分散配置された機器間の通信経路の管理の他の一例を示す構成ブロック図、特に１対多の通信を例示するものである。図９において３，４及び５はパーソナルコンピュータ等のクライアント、６は画像配信等のサービスを提供するサーバである。クライアント３，４及び５とサーバ６はネットワーク（図示せず。）によって相互に接続される。
【０００９】
ここで、図９に示す従来例の動作を説明する。クライアント３は画像配信等のサービスの提供を受けたいサーバ６を指定して図９中”ＣＮ１１”に示すようにネットワーク接続をすると共にクライアント３はサーバ６に対して画像配信等のサービスの提供の処理の依頼をする。
【００１０】
サーバ６はクライアント３から依頼のあった処理を実行すると共に実行結果をネットワークを介してクライアント３に送信する。具体的には、クライアント３から要求のあった画像をネットワークを介して配信する。
【００１１】
さらに、クライアント４及び５に関しても図９中”ＣＮ１２”及び”ＣＮ１３”に示すようにネットワーク接続をしてクライアント３と同様の動作を行い、サーバ６はそれぞれのクライアント４及び５に対してクライアント３と同様の動作を行う。
【００１２】
さらに、図１０は従来の分散配置された機器間の通信経路の管理の他の一例を示す構成ブロック図、特に多対多の通信を例示するものである。図１０において７，８及び９はパーソナルコンピュータ等のクライアント、１０，１１及び１２は画像配信等のサービスを提供するサーバである。クライアント３，４及び５とサーバ１０，１１及び１２はネットワーク（図示せず。）によって相互に接続される。
【００１３】
図１０に示す従来例の動作も図１０中”ＣＮ２１”に示すように個々のクライアントと個々のサーバとの間の１対１のネットワーク接続の集まりであるので、詳細の説明は省略する。
【発明の開示】
【発明が解決しようとする課題】
【００１４】
しかし、図８、図９及び図１０に示すような従来例では、１対多の通信、若しくは、多対多通信であっても１対１の通信の集まりであり、個々のネットワーク接続の通信経路の制御や管理はクライアントやサーバで個々に行う必要性があった。
【００１５】
例えば、あるクライアントは、画像配信等のサービスの提供を受ける１若しくは複数のサーバとのネットワーク接続に必要な情報を管理すると共に依頼した処理内容もまた管理する必要性がある。
【００１６】
一方、例えば、あるサーバは、処理の依頼を受けた１若しくは複数のクライアントの処理内容を管理すると共に実行結果を送信するクライアントのネットワークアドレス等の情報を管理する必要性がある。
【００１７】
このため、ネットワーク接続が多くなるほど、クライアント若しくはサーバにかかる負荷が増大し、携帯端末や組み込み機器と言った機器の資源（リソース）に制限のある機器において通信経路の制御や管理は非効率であると言った問題点があった。
従って本発明が解決しようとする課題は、各機器における通信経路の管理や制御を一括して管理することが可能な通信中継装置を実現することにある。
【課題を解決するための手段】
【００１８】
このような課題を達成するために、本発明のうち請求項１記載の発明は、
分散配置された機器間の通信経路を管理する通信中継装置において、
ある機器から受信したデータからデータの送信元を特定し、管理テーブルに記載されている前記送信元に対応する送信先の機器に通信経路を切り換えて前記データを配信することにより、各機器における通信経路の管理や制御を一括して管理することが可能になる。
【００１９】
請求項２記載の発明は、
請求項１記載の発明である通信中継装置において、
前記データのデータ解析によりある特定のイベントを抽出した場合に特定の送信先の機器に前記データを配信させるようにプログラミングされていることにより、発生したイベントに対応して動的に配信先を変更することが可能になる。
【００２０】
請求項３記載の発明は、
請求項２記載の発明である通信中継装置において、
前記特定の送信先の機器側から前記ある特定のイベントが発生した場合に配信をするようにすることにより、発生したイベントに対応して動的に配信先を変更することが可能になる。
【００２１】
請求項４記載の発明は、
請求項２記載の発明である通信中継装置において、
前記特定の送信先の機器側から前記ある特定のイベントが発生した場合に配信をしないにすることにより、発生したイベントに対応して動的に配信先を変更することが可能になる。
【００２２】
請求項５記載の発明は、
分散配置された機器間の通信経路を管理する通信中継装置において、
ある機器からデータを受信した場合に前記データをキャリアに格納し、前記キャリアを経路管理手段に出力すると共に前記経路管理手段から前記キャリアを取得した場合に前記キャリアから送信先を抽出して通信経路を切り換えて前記送信先の機器に前記キャリア内の前記データを配信する接続変更手段と、この接続変更手段から前記キャリアを取得した場合に前記キャリアを解析処理手段に出力し、前記解析処理手段からルート情報を取得した場合に前記ルート情報に基づき管理テーブルを検索して前記データの送信先を求め前記キャリアに設定すると共に前記キャリアを前記接続変更手段に出力する前記経路管理手段と、前記経路管理手段から前記キャリアを取得した場合に前記キャリアから前記データを解析して送信元を抽出して前記ルート情報を生成し前記経路管理手段に出力する前記解析処理手段とを備えたことにより、各機器における通信経路の管理や制御を一括して管理することが可能になる。
【００２３】
請求項６記載の発明は、
請求項１若しくは請求項５記載の発明である通信中継装置において、
前記管理テーブルには、複数の送信元が記載され、前記複数の送信元に対応する１若しくは複数の送信先がそれぞれ記載されていることにより、各機器における通信経路の管理や制御を一括して管理することが可能になる。
【００２４】
請求項７記載の発明は、
請求項６記載の発明である通信中継装置において、
前記管理テーブルの、前記複数の送信元に対応する送信先から機器名を削除することにより配信を停止させることにより、各機器における通信経路の管理や制御を一括して管理することが可能になる。
【００２５】
請求項８記載の発明は、
請求項６記載の発明である通信中継装置において、
前記管理テーブルの、前記複数の送信元に対応する送信先に機器名を追加することにより配信を開始させることにより、各機器における通信経路の管理や制御を一括して管理することが可能になる。
【００２６】
請求項９記載の発明は、
請求項５記載の発明である通信中継装置において、
前記解析処理手段が、
前記データのデータ解析によりある特定のイベントを抽出した場合に特定の送信先の機器に前記データを配信させるようにプログラミングされていることにより、発生したイベントに対応して動的に配信先を変更することが可能になる。
【００２７】
請求項１０記載の発明は、
請求項９記載の発明である通信中継装置において、
前記特定の送信先の機器側から前記ある特定のイベントが発生した場合に配信をするように前記解析処理手段に前記特定の送信先の機器側の情報を登録することにより、発生したイベントに対応して動的に配信先を変更することが可能になる。
【００２８】
請求項１１記載の発明は、
請求項９記載の発明である通信中継装置において、
前記特定の送信先の機器側から前記ある特定のイベントが発生した場合に配信をしないに前記解析処理手段から前記解析処理手段に前記特定の送信先の機器側の情報を削除することにより、発生したイベントに対応して動的に配信先を変更することが可能になる。
【発明の効果】
【００２９】
本発明によれば次のような効果がある。
請求項１，５，６，７及び請求項８の発明によれば、通信中継装置が、受信したデータからデータの送信元を特定し、管理テーブルに記載されている対応する送信先にデータを配信することにより、各機器における通信経路の管理や制御を一括して管理することが可能になる。
【００３０】
また、請求項２，３，４，９，１０及び請求項１１の発明によれば、通信中継装置（解析処理手段）がデータ解析によりある特定のイベント（侵入者発見や火災等）を抽出した場合には特定の送信先にデータを配信させるように通信中継装置（解析処理手段）内にプログラミング（記述）することにより、発生したイベントに対応して動的に配信先を変更することが可能になる。
【発明を実施するための最良の形態】
【００３１】
以下本発明を図面を用いて詳細に説明する。図１は本発明に係る分散配置された機器間の通信経路を管理する通信中継装置の一実施例を示す構成ブロック図である。図１において１３はパーソナルコンピュータ等のクライアント、１４は画像配信等のサービスを提供するサーバ、１５は通信中継装置全体を制御する制御手段、１６は通信経路の接続や変更等を行う接続変更手段、１７は管理テーブルを有し通信経路（ルート）の管理を行う経路管理手段、１８は受信したデータの解析やアプリケーションの処理等を行う解析処理手段である。
【００３２】
また、制御手段１５、接続変更手段１６、経路管理手段１７及び解析処理手段１８は通信中継装置５０を構成している。
【００３３】
クライアント１３とサーバ１４はネットワーク（図示せず。）によってそれぞれ通信中継装置５０に、具体的には、接続変更手段１６に接続される。
【００３４】
接続変更手段１６の入出力は経路管理手段１７に相互に接続され、経路管理手段１７の入出力は解析処理手段１８に相互に接続される。また、制御手段１５の制御信号は接続変更手段１６、経路管理手段１７及び解析処理手段１８にそれぞれ接続される。
【００３５】
ここで，図１に示す実施例の動作を図２，図３，図４及び図５を用いて説明する。図２は接続変更手段１６の動作を説明するフロー図、図３は経路管理手段１７の動作を説明するフロー図、図４は管理テーブルの一例を示す説明図、図５は解析処理手段１８の動作を説明するフロー図である。
【００３６】
先ず第１に、図２中”Ｓ００１”において接続変更手段１６は、ネットワーク（図示せず。）を介してサーバ１４から配信されてくるデータを受信したか否かを判断する。
【００３７】
もし、図２中”Ｓ００１”においてデータを受信しなかった場合には、接続変更手段１６は図２中”Ｓ００１”のステップに戻り、もし、データを受信した場合には、図２中”Ｓ００２”において接続変更手段１６は、受信したデータを通信中継装置５０内でデータを保持するキャリアに格納する。
【００３８】
そして、図２中”Ｓ００３”において接続変更手段１６は、当該キャリアを経路管理手段１７に出力すると共に図２中”Ｓ００４”において経路管理手段１７からキャリアを取得するまで待機する。
【００３９】
図２中”Ｓ００４”において経路管理手段１７からキャリアを取得した場合には、図２中”Ｓ００５”において接続変更手段１６は、取得したキャリアから送信先のネットワークアドレス等の送信先を抽出して、図２中”Ｓ００６”において通信経路を切り換えて抽出した送信先にキャリア内の受信データを配信する。
【００４０】
第２に、図３中”Ｓ１０１”において経路管理手段１７は、接続変更手段１６からキャリアを取得するまで待機し、図３中”Ｓ１０１”において接続変更手段１６からキャリアを取得した場合には、図３中”Ｓ１０２”において経路管理手段１７は、取得したキャリアを解析処理手段１８に出力する。
【００４１】
そして、図３中”Ｓ１０３”において経路管理手段１７は、解析処理手段１８からルート情報を取得するまで待機し、図３中”Ｓ１０３”において解析処理手段１８からルート情報を取得した場合には、図３中”Ｓ１０４”において経路管理手段１７は取得したルート情報に基づき管理テーブルを検索して受信データの送信先を求めキャリアに設定すると共に図３中”Ｓ１０５”においてキャリアを接続変更手段１６に出力する。
【００４２】
例えば、管理テーブルは図４に示すように送信元”サーバ１４”、”カメラサーバ（図示せず。）”、…と記載され、”サーバ１４”が配信する送信先が”クライアント１３”、”クライアントＡ”及び”クライアントＢ”と、”カメラサーバ”が配信する送信先が”クライアントＡ”及び”クライアントＢ”とそれぞれ記載されて管理されている。
【００４３】
すなわち、管理テーブルには、複数の送信元が記載され、複数の送信元に対応する１若しくは複数の送信先がそれぞれ記載されて管理されている。
【００４４】
このため、経路管理手段１７は、解析処理手段１８から取得したルート情報から送信元が”サーバ１４”であれば、送信先は”クライアント１３”、”クライアントＡ”及び”クライアントＢ”あることが分かるので、これらの送信先をキャリアに設定すると共に当該キャリアを接続変更手段１６に出力する。
【００４５】
第３に、図５中”Ｓ２０１”において解析処理手段１８は、経路管理手段１７からキャリアを取得するまで待機し、図５中”Ｓ２０１”において経路管理手段１７からキャリアを取得した場合には、図５中”Ｓ２０２”において解析処理手段１８はキャリアから受信データを取り出し解析する。
【００４６】
そして、図５中”Ｓ２０３”において解析処理手段１８は、解析結果からルート情報を生成し、図５中”Ｓ２０４”において生成したルート情報を経路管理手段１７に出力する。
【００４７】
例えば、受信データのヘッダーから送信元のアドレスを抽出して送信元を特定して、当該送信元情報等を含むルート情報を生成する。
【００４８】
この結果、通信中継装置５０が、受信したデータからデータの送信元を特定し、管理テーブルに記載されている対応する送信先にデータを配信することにより、各機器における通信経路の管理や制御を一括して管理することが可能になる。
【００４９】
なお、図１に示す実施例の説明に際しては制御手段１５が、通信中継装置５０を構成する手段を一括制御している旨記載しているが、勿論、１つの制御手段が通信中継装置５０を構成する全ての手段の機能を有しても構わないし、また、逆に、制御手段１５を有することなく通信中継装置５０を構成する個々の手段が独立して動作しても構わない。
【００５０】
また、図１に示す実施例の説明に際しては図４に示すような管理テーブルに基づいて送信先を求めているので、サーバ１４からある機器（例えば、クライアントＡ）に対する配信を停止させる場合には、当該管理テーブルのサーバ１４の送信先から当該機器（例えば、クライアントＡ）の情報を削除すれば良い。
【００５１】
また、逆に、サーバ１４からある機器（例えば、クライアントＣ）に対する配信を開始させる場合には、当該管理テーブルのサーバ１４の送信先に当該機器（例えば、クライアントＣ）の情報を追加すれば良い。
【００５２】
また、図１に示す実施例では解析処理手段１８はただ単に受信したデータの解析、具体的には、送信元の特定のみを行っているが、解析処理手段１８がデータ解析によりある特定のイベント（侵入者発見や火災等）を抽出した場合には特定の送信先にデータを配信させるように解析処理手段１８内にプログラミング（記述）することも可能である。
【００５３】
図６はこのような本発明に係る分散配置された機器間の通信経路を管理する通信中継装置の他の実施例を示す構成ブロック図である。図６において１８及び５０は図１と同一符号を付してあり、１９，２０及び２１はパーソナルコンピュータ等のクライアント、２２，２３及び２４は画像配信等のサービスを提供するカメラである。
【００５４】
カメラ２２，２３及び２４は通信中継装置５０にそれぞれ接続され、クライアント１９，２０及び２１はまた通信中継装置５０にそれぞれ接続される。
【００５５】
ここで、図６に示す実施例の動作を図７を用いて説明する。図７は通信中継装置５０全体の動作を説明するフロー図である。
【００５６】
図７中”Ｓ３０１”において通信中継装置５０は各カメラ２２，２３及び２４からデータを受信するまで待機し、データを受信した場合、図７中”Ｓ３０２”において通信中継装置５０は受信データを解析して図７中”Ｓ３０３”においてイベント（侵入者発見や火災等）が抽出されたか否かを判断する。
【００５７】
具体的には、通信中継装置５０の解析処理手段１８がデータを解析してイベント（侵入者発見や火災等）を抽出したか否かを判断する。
【００５８】
図７中”Ｓ３０３”においてイベント（侵入者発見や火災等）を抽出した場合には、図７中”Ｓ３０４”において通信中継装置５０（解析処理手段１８）は抽出されたイベント（侵入者発見や火災等）に基づき解析処理手段１８内に予めプログラミング（記述）されている通信経路を設定すると共に図７中”Ｓ３０５”において受信データを設定した通信経路に基づき配信する。
【００５９】
例えば、図６中”ＥＶ３１”に示すイベント（侵入者発見や火災等）がカメラ２２で撮影され、図６中”ＧＤ３１”に示すように撮影された画像を通信中継装置５０（解析処理手段１８）が取り込み画像解析して図６中”ＥＶ３１”に示すイベント（侵入者発見や火災等）を抽出した場合には、通信中継装置５０（解析処理手段１８）は図６中”ＥＶ３１”に示すイベント（侵入者発見や火災等）に対して予めプログラミング（記述）されている図６中”ＣＣ３１”及び”ＣＣ３２”に示す通信経路を設定して、カメラ２２からの画像をクライアント１９及び２０に配信する。
【００６０】
一方、図７中”Ｓ３０３”においてイベント（侵入者発見や火災等）が抽出されなかった場合には、図７中”Ｓ３０６”において通信中継装置５０（解析処理手段１８）は通常の通信経路を設定すると共に図７中”Ｓ３０５”において受信データを設定した通信経路に基づきクライアントに配信する。
【００６１】
例えば、カメラ２２からの画像の送信先が管理テーブルにはクライアント２１であると記載されていれば、当該画像からイベント（侵入者発見や火災等）が抽出されない場合には、通信中継装置５０（解析処理手段１８）は当該管理テーブルに基づき通信経路を設定して、カメラ２２からの画像をクライアント２１に配信する。
【００６２】
この結果、通信中継装置５０（解析処理手段１８）がデータ解析によりある特定のイベント（侵入者発見や火災等）を抽出した場合には特定の送信先にデータを配信させるように通信中継装置５０（解析処理手段１８）内にプログラミング（記述）することにより、発生したイベントに対応して動的に配信先を変更することが可能になる。
【００６３】
また、図６に示す実施例では、特定のイベント（侵入者発見や火災等）を抽出した場合には特定の送信先にデータを配信させるように通信中継装置５０（解析処理手段１８）内にプログラミング（記述）する旨記載しているが、クライアント側から通信中継装置５０（解析処理手段１８）に対してある特定のイベントが発生した場合には配信をするようにクライアント側の情報を登録／削除するようにしても構わない。
【００６４】
この場合には、クライアント側から適宜必要とするイベントに対する画像配信の登録／削除が可能になるので、クライアント側から動的に画像配信の内容を変更することが可能になる。
【図面の簡単な説明】
【００６５】
【図１】本発明に係る分散配置された機器間の通信経路を管理する通信中継装置の一実施例を示す構成ブロック図である。
【図２】接続変更手段の動作を説明するフロー図である。
【図３】経路管理手段の動作を説明するフロー図である。
【図４】管理テーブルの一例を示す説明図である。
【図５】解析処理手段の動作を説明するフロー図である。
【図６】本発明に係る分散配置された機器間の通信経路を管理する通信中継装置の他の実施例を示す構成ブロック図である。
【図７】通信中継装置全体の動作を説明するフロー図である。
【図８】従来の分散配置された機器間の通信経路の管理の一例を示す構成ブロック図である。
【図９】従来の分散配置された機器間の通信経路の管理の他の一例を示す構成ブロック図である。
【図１０】従来の分散配置された機器間の通信経路の管理の他の一例を示す構成ブロック図である。
【符号の説明】
【００６６】
１，３，４，５，７，８，９，１３，１９，２０，２１  クライアント
２，６，１０，１１，１２，１４  サーバ
１５  制御手段
１６  接続変更手段
１７  経路管理手段
１８  解析処理手段
２２，２３，２４  カメラ
【図１】
2005086296.tif 000003
【図２】
2005086296.tif 000004
【図３】
2005086296.tif 000005
【図４】
2005086296.tif 000006
【図５】
2005086296.tif 000007
【図６】
2005086296.tif 000008
【図７】
2005086296.tif 000009
【図８】
2005086296.tif 000010
【図９】
2005086296.tif 000011
【図１０】
2005086296.tif 000012